(57)【特許請求の範囲】
【請求項１】
ダイヤルキーの回転中心軸回りの回転を、筐体側に固定した回転検出手段で検出するダイヤル式スイッチであって、
ダイヤルキーの回転を案内するガイド部が形成され、平面に沿って配置されるダイヤルキーを前記平面に直交する回転中心軸周りに回転自在に支持する支持板部と、支持板部の周囲に基端部が連結された複数の弾性脚部とを有し、支持板部を前記回転中心軸に直交する放射方向へ引っ張るように、各弾性脚部の先端部を筐体側に固定し、前記回転中心軸に作用する各弾性脚部の引っ張り力が釣り合う中立位置に支持板部を位置決めするキーステムと、
中立位置に位置決めされた支持板部に回転自在に支持されたダイヤルキーの前記回転中心軸周りの回転を検出する回転検出手段と、
中立位置に位置決めされた支持板部の底面の周囲に対向する筐体側の部位に固定され、支持板部を傾斜させるダイヤルキーの周囲の押し下げ操作を検出する第１押圧検出手段とを備えたことを特徴とするダイヤル式スイッチ。
【請求項２】
回転中心軸回りの円環状に形成されたダイヤルキーの平面側に当接する円板操作部と、円板操作部の底面から垂設され、円環状に形成されたダイヤルキーの中心孔を挿通して支持板部に穿設された係合孔に係合する係合突起とを有するプッシュボタンと、
中立位置に位置決めされた支持板部の底面と前記回転中心軸上で対向する筐体側の部位に固定され、プッシュボタンの押し下げ操作を検出する第２押圧検出手段とを、更に備え、
ダイヤルキーは、支持板部とプッシュボタンの円板操作部との間に挟まれ、前記回転中心軸方向の移動が規制されることを特徴とする請求項１に記載のダイヤル式スイッチ。
【請求項３】
キーステムの支持板部は、円形支持板と円形支持板の周囲から放射状に一体に突設された複数の腕部とからなり、各腕部の先端側に、円筒面としたダイヤルキーの内側面若しくは外側面に摺動するガイド部が形成されるとともに、
複数の弾性脚部は、基端側が二股に分岐して形成される一対の分岐片が、それぞれ隣り合う腕部に連結されることを特徴とする請求項１に記載のダイヤル式スイッチ。
【請求項４】
第１押圧検出手段は、中立位置に位置決めされた支持板部の腕部の底面に対向する筐体側の部位に固定されることを特徴とする請求項３に記載のダイヤル式スイッチ。
【請求項５】
支持板部と複数の弾性脚部は、ボリアセタールを成形材料として一体に成形されたことを特徴とする請求項１乃至請求項４のいずれか１項に記載のダイヤル式スイッチ。
【発明の詳細な説明】
【技術分野】
【０００１】
本発明は、ダイヤルキーの回転中心軸周りの回転操作を検出するダイヤル式スイッチに関し、更に詳しくは、ダイヤルキーを回転中心軸に対して傾斜させる押圧操作も併せて検出可能なダイヤル式スイッチに関する。
【背景技術】
【０００２】
ＤＶＤレコーダなどの映像再生機器を遠隔制御するリモートコントロール送信機に搭載される入力装置として、ジョグダイヤルといわれる円環状のダイヤルキーの回転操作を検出し、ダイヤルキーの回転操作に応じて、ＤＶＤレコーダに記録された録画をコマ送り再生や変速再生制御するダイヤル式スイッチが知られている（特許文献１）。
【０００３】
図８、図９に示すように、このダイヤル式スイッチ１００は、筐体１０１を構成する小径円板部１０１Ａと大径円板部１０１Ｂとの間に、作動リング１０３を底面側に取り付けたリング状のダイヤルキー１０２が取り付けられている。ダイヤルキー１０２は、浅皿状の頂部が円形の中心開口１０２ａで開口する切頭円錐状に形成され、大径円板部１０１Ｂの外周縁部の平面に沿って凹設されたガイド溝１０４と、大径円板部１０１Ｂ上に所定間隔を隔ててねじ止め固定される小径円板部１０１Ａの円形となった外周縁部の輪郭の間で、小径円板部１０１Ａと大径円板部１０１Ｂの各中心を通る鉛直方向の回転中心軸Ｃ周りに回転自在に案内されている。
【０００４】
小径円板部１０１Ａと大径円板部１０１Ｂとダイヤルキー１０２で囲われる筐体１０１内には、３個の入力スイッチ１０５、１０６、１０７とレバー式検出スイッチ１０８が実装されたプリント配線基板１０９が取り付けられ、各入力スイッチ１０５、１０６、１０７を押し下げ操作する操作摘み１０５ａ、１０６ａ、１０７ａが、小径円板部１０１Ａに上下動自在に取り付けられている。
【０００５】
作動リング１０３は、プリント配線基板１０９の外径よりわずかに大きい内径の円筒部１０３ａと、円筒部１０３ａから外側に向けて水平方向に突設されたフランジ部１０３ｂが形成され、円筒部１０３ａとフランジ部１０３ｂの間に、回転中心軸Ｃ回りの等角度間隔で、複数のブラケット片１０３ｃが起立して固着され、各ブラケット片１０３ｃの先端は、円筒部１０３ａを貫通する動作突起１１０となっている。
【０００６】
作動リング１０３を底面側に固定したダイヤルキー１０２が、小径円板部１０１Ａと大径円板部１０１Ｂとの間に回動自在に取り付けられると、上述した各動作突起１１０が、プリント配線基板１０９の外周のやや上方に臨む。一方、プリント配線基板１０９上に実装されたレバー式検出スイッチ１０８の可動端子１０８ａは、作動リング１０３が回転した際の各動作突起１１０の移動軌跡上に突出し、これにより、ダイヤルキー１０２を回転中心軸Ｃ周りで回転操作すると、回転方向に移動する動作突起１１０が可動端子１０８ａに当接する毎に、可動端子１０８ａと回転方向にある図示しない固定端子が接触し、両端子間の接触によるパルス信号が発生する。従って、ダイヤルキー１０２の回転操作について、その回転方向や回転中心軸Ｃ周りの回転角度、回転速度などが、レバー式検出スイッチ１０８から出力されるパルス信号によって検出される。
【０００７】
また、このダイヤルキー１０２の回転操作と独立して、小径円板部１０１Ａに取り付けられたいずれかの操作摘み１０５ａ、１０６ａ、１０７ａを押し下げることにより、押し下げられた入力スイッチ１０５、１０６、１０７がスイッチング動作し、その出力から、入力スイッチ１０５、１０６、１０７への押し下げ操作が検出される。
【先行技術文献】
【特許文献】
【０００８】
【特許文献１】特許第４６８９７１０号公報
【発明の概要】
【発明が解決しようとする課題】
【０００９】
上述した従来のダイヤル式スイッチ１００は、ダイヤルキー１０２の回転操作に加えて操作摘み１０５ａ、１０６ａ、１０７ａの押し下げ操作を検出できるが、カーソルの移動制御など、動作方向に対応して操作位置が異なるような押し下げ操作は検出できず、また、ダイヤルキー１０２の回転操作と別の位置で操作摘み１０５ａ、１０６ａ、１０７ａを押し下げ操作するので、回転操作と押し下げ操作を一連の動作で連続させて行うことができない。
【００１０】
ダイヤルキー１０２の周囲下方に複数の入力スイッチを配置し、ダイヤルキー１０２の周囲を押し下げて傾斜させれば、方向性を加味した押し下げ操作が検出できるが、ダイヤル式スイッチ１００の構造では、ダイヤルキー１０２が、筐体１０１である大径円板部１０１Ｂと小径円板部１０１Ａの間に回転自在に案内され、回転中心軸Ｃが固定されているため、実現できない。
【００１１】
筐体１０１に対して回転中心軸Ｃ周りで回転自在に案内されるダイヤルキー１０２を、傾斜可能に取り付ければ可能であるが、その取り付け構造は極めて複雑であり、更に、回転中心軸Ｃが傾斜することによって動作突起１１０の移動軌跡が異なり、レバー式検出スイッチ１０８の可動端子１０８ａに当接せず、回転が検出されない恐れがあった。
【００１２】
また、別の入力スイッチ１０５、１０６、１０７を配置する為に、ダイヤルキー１０２の中心開口１０２ａ内に、筐体１０１側であるプリント配線基板１０９や小径円板部１０１Ａを配置すると、ダイヤルキー１０２を傾斜自在に取り付けるために、これらの筐体１０１側と隙間が生じ、防塵や防水性が損なわれるものとなった。一方、ダイヤルキー１０２と一体の中心部に操作摘み１０５ａ、１０６ａ、１０７ａを配置した場合には、回転中心軸Ｃを鉛直方向に復帰させる復帰手段を講じない限り、筐体１０１側のプリント配線基板１０９に取り付けられる入力スイッチ１０５、１０６、１０７と正確に鉛直方向で対向しないという問題がある。
【００１３】
本発明は、このような従来の問題点を考慮してなされたものであり、ダイヤルキーの回転操作と、ダイヤルキーの周囲を押し下げる押し下げ操作を確実に検出するダイヤル式スイッチを提供することを目的とする。
【課題を解決するための手段】
【００１４】
上述の目的を達成するため、請求項１のダイヤル式スイッチは、ダイヤルキーの回転中心軸回りの回転を、筐体側に固定した回転検出手段で検出するダイヤル式スイッチであって、ダイヤルキーの回転を案内するガイド部が形成され、平面に沿って配置されるダイヤルキーを前記平面に直交する回転中心軸周りに回転自在に支持する支持板部と、支持板部の周囲に基端部が連結された複数の弾性脚部とを有し、支持板部を前記回転中心軸に直交する放射方向へ引っ張るように、各弾性脚部の先端部を筐体側に固定し、前記回転中心軸に作用する各弾性脚部の引っ張り力が釣り合う中立位置に支持板部を位置決めするキーステムと、中立位置に位置決めされた支持板部に回転自在に支持されたダイヤルキーの前記回転中心軸周りの回転を検出する回転検出手段と、中立位置に位置決めされた支持板部の底面の周囲に対向する筐体側の部位に固定され、支持板部を傾斜させるダイヤルキーの周囲の押し下げ操作を検出する第１押圧検出手段とを備えたことを特徴とする。
【００１５】
ダイヤルキーの周囲が押し下げ操作されない状態で、支持板部は、回転中心軸から放射方向に作用する各弾性脚部の引っ張り力が釣り合う中立位置に位置決めされ、中立位置に位置決めされる支持板部のガイド部は、一定の回転中心軸回りでダイヤルキーの回転を案内する。
【００１６】
ダイヤルキーの周囲を押し下げ操作すると、支持板部が押し下げ操作位置の方向に傾斜し、傾斜する方向の筐体側の部位に固定された第１押圧検出手段がその押し下げ操作を検出する。押し下げ操作を解くと、各弾性脚部の引っ張り力が支持板部に作用して支持板部は中立位置に復帰し、支持板部とダイヤルキーは、押し下げ操作前の姿勢に復帰する。
【００１７】
請求項２のダイヤル式スイッチは、回転中心軸回りの円環状に形成されたダイヤルキーの平面側に当接する円板操作部と、円板操作部の底面から垂設され、円環状に形成されたダイヤルキーの中心孔を挿通して支持板部に穿設された係合孔に係合する係合突起とを有するプッシュボタンと、中立位置に位置決めされた支持板部の底面と前記回転中心軸上で対向する筐体側の部位に固定され、プッシュボタンの押し下げ操作を検出する第２押圧検出手段とを、更に備え、ダイヤルキーは、支持板部とプッシュボタンの円板操作部との間に挟まれ、前記回転中心軸方向の移動が規制されることを特徴とする。
【００１８】
円板操作部の係合突起を支持板部の係合孔へ係合させて、円板操作部とダイヤルキーと支持板部とが相互に組み付けられる。
【００１９】
プッシュボタンを押し下げ操作すると、支持板部の中心若しくは支持板部の中心をそう通するプッシュボタンの挿通部が下降し、その下方で対向する筐体側の部位に固定された第２押圧検出手段がその押し下げ操作を検出する。プッシュボタンへの押し下げ操作では、ダイヤルキーの周囲を押し下げる外力が働かないので、支持板部は、中立位置に位置決めされ、中立位置に位置決めされる支持板部の中心は、回転中心軸方向で正確に第２押圧検出手段に対向するので、プッシュボタンを押し下げ操作が確実に検出される。
【００２０】
請求項３のダイヤル式スイッチは、キーステムの支持板部が、円形支持板と円形支持板の周囲から放射状に一体に突設された複数の腕部とからなり、各腕部の先端側に、円筒面としたダイヤルキーの内側面若しくは外側面に摺動するガイド部が形成されるとともに、複数の弾性脚部は、基端側が二股に分岐して形成される一対の分岐片が、それぞれ隣り合う腕部に連結されることを特徴とする。
【００２１】
腕部は、二股に分岐して形成される一対の分岐片が、それぞれ隣り合う腕部に連結されるので、腕部と分岐片との連結部に大きな応力が発生せず、分岐片が破損しにくい。
【００２２】
連結する弾性脚部の数の２倍の異なる支持板部の位置に分散して、弾性脚部の引っ張り力が作用するので、支持板部は、より精度良く中立位置に復帰する。
【００２３】
弾性脚部の基端部を、ダイヤルキーを回転自在に案内するガイド部より腕部の基端側に連結できるので、ダイヤルキーの外側で先端部が筐体側に固定される弾性脚部の基端部までのバネスパンを長くとることができる。
【００２４】
請求項４のダイヤル式スイッチは、第１押圧検出手段が、中立位置に位置決めされた支持板部の腕部の底面に対向する筐体側の部位に固定されることを特徴とする。
【００２５】
ダイヤルキーの周囲を押し下げ操作すると、押し下げ位置の方向に突設された腕部が押し下げられ、押し下げられる腕部の底面に対向する筐体側の部位に固定される第１押圧検出手段が、その押し下げ操作を検出する。
【００２６】
請求項５のダイヤル式スイッチは、支持板部と複数の弾性脚部は、ボリアセタールを成形材料として一体に成形されたことを特徴とする。
【００２７】
支持板部と複数の弾性脚部が、弾性係数と接触摩擦係数が小さいボリアセタールにより成形されるので、ダイヤルキーが大きな外力を受けても塑性変形しにくく、ダイヤルキーを低操作力で回転操作することができる。
【発明の効果】
【００２８】
請求項１の発明によれば、ダイヤルキーの周囲を押し下げずに回転させる回転操作では、ダイヤルキーが一定の回転中心軸回りで回転が案内されるので、回転するダイヤルキーと回転検出手段との相対距離が変化せず、ダイヤルキーの回転を確実に検出できる。
【００２９】
また、ダイヤルキーの回転の検出を損なうことなく、ダイヤルキーの周囲を押し下げる押し下げ操作を検出できる。従って、回転操作と押し下げ操作の間に、操作位置が移動して操作が途切れるようなことがなく、一連の操作を連続して行うことができる。
【００３０】
請求項２の発明によれば、ダイヤルキーの回転操作と押し下げ操作に加えて、ダイヤルキーの中心に配置されるプッシュボタンの押し下げ操作も検出できる。また、プッシュボタンの押し下げ操作方向の筐体側に第２押圧検出手段が固定されるので、プッシュボタンの押し下げ操作を、確実に検出できる。
【００３１】
また、円板操作部とダイヤルキーと支持板部とが単一ユニットとして組み付けられるので、ダイヤル式スイッチの製造工程において、筐体側への組立と部品管理が容易になる。
【００３２】
請求項３の発明によれば、腕部と分岐片との連結部に大きな応力が発生せず、分岐片が破損しにくい。
【００３３】
また、支持板部に、連結する弾性脚部の数の２倍の異なる位置に弾性脚部の引っ張り力が作用するので、回転中心軸の放射方向によりバランス良く引っ張り力が作用し、支持板部を精度良く中立位置に復帰させることかできる。
【００３４】
また、ダイヤルキーが大径であっても、各弾性脚部の先端部から腕部との連結部までのバネスパンを、過大な曲げ応力が発生しない充分な長さとすることができる。
【００３５】
請求項４の発明によれば、ダイヤルキーの底面側の隣り合う腕部の間のダイヤルキーの底面に対向する筐体側の部位に、第１押圧検出手段が固定されないので、腕部など他の部品の配置スペースを形成できる。
【００３６】
請求項５の発明によれば、支持板部と複数の弾性脚部が一度の成形工程で得られ、弾性脚部を支持板部へ連結する工程を省略できる。
【００３７】
また、支持板部と複数の弾性脚部が塑性変形しにくく、ガイド部とダイヤルキーとの摩擦力が小さいので、低操作力でダイヤルキーを回転操作することができる。
【図面の簡単な説明】
【００３８】
【図１】本発明の第１実施の形態に係るダイヤル式スイッチ１が取り付けられるリモートコントロール送信機５０の分解斜視図である。
【図２】上ケース２Ａとスイッチユニット１０の分解斜視図である。
【図３】平面側からのスイッチユニット１０の分解斜視図である。
【図４】底面側からのスイッチユニット１０の分解斜視図である。
【図５】キーステム３の（ａ）は、平面図、（ｂ）は、底面図、（ｃ）は、側面図である。
【図６】プッシュボタン４とキーステム３との間にダイヤルキー５を挟んだスイッチユニット１０の（ａ）は、平面図、（ｂ）は、底面図である。
【図７】ケース２に取り付けられたダイヤル式スイッチ１の一部省略縦断面図である。
【図８】従来のダイヤル式スイッチ１００の縦断面図である。
【図９】ダイヤル式スイッチ１００の平面側からの分解斜視図である。
【発明を実施するための形態】
【００３９】
以下、本発明の一実施の形態に係るダイヤル式スイッチ１を、図１乃至図７を用いて説明する。図１に示すように、ダイヤル式スイッチ１は、ＤＶＤレコーダなどの映像再生機器を遠隔制御するリモートコントロール送信機５０の入力装置として、リモートコントロール送信機５０のケース２に取り付けられるもので、ケース２は、上ケース２Ａと下ケース２Ｂとを組み付けて中空の細長板状に形成される。中空のケース２内には、プリント配線基板６が、上ケース２Ａの内底面から垂設されるボス（図示せず）にネジ止めされ、上ケース２Ａの内底面に沿って固定されている。
【００４０】
ダイヤル式スイッチ１は、この上ケース２Ａの円形窓孔５１内に回転自在のダイヤルキー５を臨ませて、上ケース２Ａの底面側に沿って取り付けられるスイッチユニット１０と、プリント配線基板６側に取り付けられるレバー式検出スイッチ７、決定スイッチ８及び４個の方向決定スイッチ９とから構成されている。
【００４１】
スイッチユニット１０は、更に、図３、図４に示すように、プッシュボタン４とキーステム３の間に、ダイヤルキー５を鉛直方向に沿った回転中心軸Ｃ−Ｃ回りに回転自在に挟んだ状態で組み合わせて形成される。
【００４２】
プッシュボタン４は、円形輪郭の円板操作部４ａと、円板操作部４ａの中心軸に沿って底面の中心に垂設された断面十字形の操作軸部４ｂと、操作軸部４ｂの周囲の円板操作部４ａの底面に垂設され、下端が鉤型の３本の係合突起４ｃとが合成樹脂で一体成形して形成されている。
【００４３】
ダイヤルキー５は、回転中心軸Ｃ−Ｃとなる中心軸回りに中心孔５ａが穿設されたリング状に形成され、中心孔５ａが形成される円筒形内側面は、円形の段部５ｂを介して上側の内側面の内径が、円板操作部４ａの外径よりわずかに長く、下側の内側面の内径が同外径より短くなっている。これにより、プッシュボタン４の円板操作部４ａは、中心孔５ａ内に遊嵌され、プッシュボタン４とダイヤルキー５は、回転中心軸Ｃ−Ｃの同軸上に配置されるとともに、プッシュボタン４は、ダイヤルキー５の上方に対する抜け止めとしても作用する。
【００４４】
リング状のダイヤルキー５の底面には、中心側から、平面側が円形段部５ｂとなる内側円筒体５ｃと、リング状の外周にそった内側に形成される外側円筒体５ｄと、外周に沿って等角度間隔で形成される多数の動作突片１１とが、回転中心軸Ｃ−Ｃを中心とする同心円上に一体に垂設されている。
【００４５】
図５に示すように、キーステム３は、回転中心軸Ｃ−Ｃを中心とする円形支持板１２と、円形支持板１２の外周から等角度間隔で放射状に突設された４本の腕部１３と、隣り合う腕部１３、１３に二股とした分岐片１４ａ、１４ａをそれぞれ連結させた４本の脚部１４とが、ポリアセタールを成形材料として一体に成形されている。
【００４６】
円形支持板１２には、回転中心軸Ｃ−Ｃに沿ってプッシュボタン４の操作軸部４ｂを遊挿させる断面十字形の挿通孔１２ａと、その周囲にプッシュボタン４の係合突起４ｃを挿通させる円弧状の係合孔１２ｂが回転中心軸Ｃ−Ｃを中心とする円周上の３箇所に形成されている。
【００４７】
各係合孔１２ｂの縁には、上端が外向きの鉤状に形成された内側ガイド片１２ｃが立設されている。３本の内側ガイド片１２ｃは、外側面が回転中心軸Ｃ−Ｃ回りの同一円筒面上となる位置に立設され、ダイヤルキー５の内側円筒体５ｃの内側面に沿って起立し、その鉤状の上端が円形段部５ｂに上方から対向することにより、円形支持板１２の平面に沿って配置されるダイヤルキー５を上方に対して抜け止め支持するとともに、回転中心軸Ｃ−Ｃ回りに回転自在に案内する（図７参照）。
【００４８】
円形支持板１２から放射状に突設された各腕部１３は、同一の形状に形成され、その先端が上方に膨出する受圧部１３ａとなっている。従って、各腕部１３の受圧部１３ａの外側面も回転中心軸Ｃ−Ｃ回りの同一円筒面上にあり、円形支持板１２の平面に沿って配置されるダイヤルキー５の外側円筒体５ｄの内側面に沿って摺動し、内側ガイド片１２ｃとともにダイヤルキー５を回転中心軸Ｃ−Ｃ回りに回転自在に案内している（図７参照）。また、各腕部１３の受圧部１３ａの上端は、ダイヤルキー５の外周近くの内底面に当接し、ダイヤルキー５の中心から外れた位置が押し下げ操作されると、押し下げ方向の受圧部１３ａが下降する。
【００４９】
図５に示すように、４本の各脚部１４は、先端側に位置決め孔１５が穿設された細長板状の脚片１４ｂと、脚片１４ｂの基端側で上方に起立する円柱スペーサ１４ｃの上端から二股に分岐するクランク状の分岐片１４ａ、１４ａとで構成され、円柱スペーサ１４ｃに連結する各分岐片１４ａ、１４ａの他側の基端部が、それぞれ隣り合う腕部１３、１３の中間位置にそれぞれ一体に連結されている。
【００５０】
このように構成されるスイッチユニット１０は、図１と図２に示すように、上ケース２Ａの円形窓孔５１内にダイヤルキー５が回転自在に臨む位置で、円形窓孔５１の周囲に上ケース２Ａの内底面から垂設される４本の位置決めボス１６をそれぞれ各脚部１４の位置決め孔１５に挿通させて取り付けられる。各位置決めボス１６は、外力を加えない自由状態での各脚部１４の位置決め孔１５の位置より、回転中心軸Ｃ−Ｃより離れた外方の位置から垂設され、これにより、４本の位置決めボス１６を各脚部１４の位置決め孔１５に挿通させて取り付けられるスイッチユニット１０の各脚部１４には、引っ張り応力の組み立て応力が発生する。４本の位置決めボス１６の垂設位置は、４本の各位置決めボス１６により各脚部１４に対して回転中心軸Ｃ−Ｃから径方向に作用する引っ張り力が、回転中心軸Ｃ−Ｃ回りで釣り合ってキーステム３が安定する中立位置において、キーステム３上に配置されるダイヤルキー５の回転中心軸Ｃ−Ｃが、円形窓孔５１のほぼ中心位置となるように調整して決定される。
【００５１】
各脚部１４は、弾性材料で形成されているので、外力が解かれるとキーステム３は、水平な姿勢の中立位置に復帰し、キーステム３の平面に沿って配置されるダイヤルキー５は、いずれの方向から操作力を受けても水平な姿勢に復帰し、傾斜したり水平方向に位置ずれする回転中心軸Ｃ−Ｃは、操作力が解かれると鉛直方向に沿った原位置に復帰する。
【００５２】
ケース２の内方で上ケース２Ａに固定されたプリント配線基板６上には、キーステム３が中立位置にあるスイッチユニット１０の対応部位に、レバー式検出スイッチ７、決定スイッチ８及び４個の方向決定スイッチ９が固定して形成される。このうち、決定スイッチ８及び４個の方向決定スイッチ９は、プリント配線基板６上に形成される固定電極と、プリント配線基板６上に積層されるラバーシート１７の固定電極と所定の間隔を隔てて対向する内底面に形成される可動電極とから形成されるラバースイッチであり、決定スイッチ８は、プッシュボタン４の操作軸部４ｂの下方のプリント配線基板６上に、４個の方向決定スイッチ９は、回転中心軸Ｃ−Ｃから９０度間隔で径方向に突出する各腕部１３の受圧部１３ａ下方のプリント配線基板６上に形成される。
【００５３】
上ケース２Ａに取り付けられるスイッチユニット１０の各脚片１４ｂは、ラバーシート１７に形成された逃げ孔１８を通して直接プリント配線基板６上に配置され、これにより各脚片１４ｂの先端側は、底面側に当接するプリント配線基板６により、位置決めボス１６から抜け止めされる。
【００５４】
プリント配線基板６の平面に沿って配置される各脚片１４ｂに対して、キーステム３の円形支持板１２と腕部１３は、各脚片１４ｂの基端側の円柱スペーサ１４ｃの上端で分岐する分岐片１４ａに連結しているので、キーステム３の中立位置では、プリント配線基板６と一定の間隔をおいて水平に支持され、中立位置から下方へ押し下げ自在となっている。
【００５５】
また、図１、図７に示すように、決定スイッチ８と方向決定スイッチ９が形成されるラバーシート１７の部位は、肉厚としたキートップとなり、中立位置でプリント配線基板６上に一定の間隔をおいて支持される操作軸部４ｂと受圧部１３ａの底面にラバーシート１７の弾性で弾性接触している。
【００５６】
レバー式検出スイッチ７は、スイッチユニット１０の周囲で、ラバーシート１７が切り欠かれたプリント配線基板６上に実装され、回転中心軸Ｃ−Ｃの方向に突出する可動端子７ａが、回転中心軸Ｃ−Ｃ回りで回転するダイヤルキー５の動作突片１１の移動軌跡上に臨んでいる。可動端子７ａの水平方向の両側には、一対の固定端子（図示せず）が配置され、回転するダイヤルキー５の動作突片１１により撓む可動端子７ａが回転方向に配置された固定端子に接触する。
【００５７】
上述のダイヤル式スイッチ１のケース２への組立は、始めに、キーステム３の平面上にダイヤルキー５を組み付ける。この組み付けは、ダイヤルキー５の内側円筒体５ｃが、円形支持板１２の回転中心軸Ｃ−Ｃ回りに立設された３本の内側ガイド片１２ｃの上方から当接するようにダイヤルキー５を下降させる。内側ガイド片１２ｃは、上端が外向きの鉤状に形成されているので、ダイヤルキー５の下降とともに中心側に撓み、内側円筒体５ｃが通過すると、内側円筒体５ｃの平面側の円形段部５ｂに上方から対向し、ダイヤルキー５を、円形支持板１２との間で挟み、上下方向に抜け止めする。このダイヤルキー５をキーステム３へ組み付けた状態では、回転中心軸Ｃ−Ｃ回りに同心円上に配置された３本の内側ガイド片１２ｃの外側面が内側円筒体５ｃの内側面に対向するとともに、同心円上に配置される４本の腕部１４先端の外側面が外側円筒体５ｄの内側面に対向するので、ダイヤルキー５は、回転中心軸Ｃ−Ｃ回りに回転自在にキーステム３に支持される。
【００５８】
続いて、プッシュボタン４の操作軸部４ｂとその周囲の３本の係合突起４ｃを、ダイヤルキー５の中心孔５ａを通して、それぞれ円形支持板１２の挿通孔１２ａと、その周囲の円弧状の係合孔１２ｂへ挿通させる。下端が鉤型の係合突起４ｃは、係合孔１２ｂを拡径させながら挿通し、鉤型となった下端が通過すると、円板支持板１２の底面側に対向する。これにより、プッシュボタン４は、円板操作部４ａがダイヤルキー５の円形段部５ｂに上方から対向し、係合突起４ｃの下端がキーステム３の円形支持板１２の底面に下方から対向するので、ダイヤルキー５をキーステム３との間に挟んだ状態で、上下方向に抜け止めされる。
【００５９】
ダイヤルキー５を回転自在に挟んだ状態で、プッシュボタン４とキーステム３とを組み合わせて形成されるスイッチユニット１０は、図２に示すように、上ケース２Ａの円形窓孔５１の周囲に上ケース２Ａから垂設される４本の位置決めボス１６を、キーステム３の各脚部１４の位置決め孔１５に挿通させて、上ケース２Ａの内底面に沿って取り付ける。各位置決めボス１６は、キーステム３に外力を加えない自由状態での各脚部１４の位置決め孔１５の位置より外方に離れた位置に垂設されているので、位置決めボス１６に先端側が達しない脚部１４は、位置決めボス１６の方向に脚部１４の先端側を引っ張り、先端側の位置決め孔１５へ位置決めボス１６を挿通させる。全ての位置決めボス１６を対応する位置決め孔１５へ挿通させて組み立てた状態で、回転中心軸Ｃ−Ｃ回りで各脚部１４から受ける引っ張り力が釣り合い、キーステム３は、プリント配線基板６と平行な水平な姿勢の中立位置で安定し、キーステム３上に配置されるダイヤルキー５の回転中心軸Ｃ−Ｃは、円形窓孔５１のほぼ中心位置を鉛直方向に交差する軸位置で安定する。
【００６０】
続いて、レバー式検出スイッチ７の他、リモートコントロール送信機５０の動作に必要な各電子部品を実装したプリント配線基板６に、決定スイッチ８と方向決定スイッチ９を形成するラバーシート１７を平面側に積層し、ラバーシート１７が積層されたプリント配線基板６を、スイッチユニット１０が取り付けられた上ケース２Ａにネジ止め固定し、上ケース２Ａの内底面に平行に取り付ける。
【００６１】
プリント配線基板６を取り付けた状態で、各脚片１４ｂの先端側は、プリント配線基板６により位置決めボス１６から抜け止めされ、レバー式検出スイッチ７の可動端子７ａは、ダイヤルキー５が回転する動作突片１１の移動軌跡に突出する。また、操作軸部４ｂと受圧部１３ａの底面には、それぞれ決定スイッチ８と方向決定スイッチ９を形成するラバーシート１７の肉厚となったキートップが弾性接触する。
【００６２】
その後、上ケース２Ａの底面側を覆うように下ケース２Ｂを組み付けて、ケース２にダイヤル式スイッチ１を取り付けたリモートコントロール送信機５０が製造される。
【００６３】
以下、上述のように構成されたダイヤル式スイッチ１の動作を説明する。入力操作を行わない間（以下、待機状態という）のキーステム３は、水平な姿勢で安定した中立位置にあり、キーステム３の平面に沿って配置されるダイヤルキー５の回転中心軸Ｃ−Ｃは、上ケース２Ａの円形窓孔５１のほぼ中心の鉛直方向で安定している。
【００６４】
待機状態から、ダイヤルキー５を回転操作すると、ダイヤルキー５は、キーステム３の内側ガイド片１２ｃと腕部１４の外側面によって、鉛直方向の回転中心軸Ｃ−Ｃ回りに回転が案内され、回転方向に移動する動作突片１１がレバー式検出スイッチ７の可動端子７ａに当接する毎に、可動端子７ａと回転方向にある固定端子が接触し、可動端子７ａと回転方向の固定端子間の接触によるスイッチ信号がレバー式検出スイッチ６から出力される。レバー式検出スイッチ７は、ダイヤルキー５の回転方向と回転角度に応じて異なるスイッチ信号を出力するので、このスイッチ信号からダイヤルキー５への回転操作が検出される。
【００６５】
また、このダイヤルキー５の回転操作の前後、若しくは回転操作と独立して、ダイヤルキー５を押し下げ操作すると、リング状のダイヤルキー５の押し下げ操作位置は回転中心軸Ｃ−Ｃから外れているので、回転中心軸Ｃ−Ｃから押し下げ操作位置の方向に放射状に突設された１又は２本の腕部１３の受圧部１３ａが下方に撓み、その下方に配置された方向決定スイッチ９を押し下げ、その方向決定スイッチ９から、ダイヤルキー５の押し下げ操作を示すスイッチ信号が出力される。従って、ダイヤルキー５の押し下げ操作を示すスイッチ信号を出力した１又は２個の方向決定スイッチ９の配置位置から、ダイヤルキー５への押し下げ操作と、その押し下げ位置の方向が検出される。ダイヤルキー５の押し下げ操作を解除すると、変形したラバーシート１７及びキーステム３の脚部１４の弾性によって、キーステム３は水平な中立位置に復帰し、キーステム３に配置されるダイヤルキー５の回転中心軸Ｃ−Ｃも円形窓孔５１のほぼ中心の鉛直方向に復帰する。
【００６６】
リング状のダイヤルキー５の中央に配置されたプッシュボタン４の円板操作部４ａを押し下げ操作すると、操作軸部４ｂと係合突起４ｃがそれぞれキーステム３の挿通孔１２ａと係合孔１２ｂを挿通して下降し、操作軸部４ｂは、その下方に配置された決定スイッチ８を押し下げる。ここで、待機状態で、回転中心軸Ｃ−Ｃに沿った操作軸部４ｂは、鉛直方向にあるので、確実にその鉛直方向下方に配置された決定スイッチ８を押し下げる。決定スイッチ８は、押し下げ操作を示すスイッチ信号を出力し、これにより、プッシュボタン４への押し下げ操作が検出される。プッシュボタン４への押し下げ操作を解除すると、ラバーシート１７の弾性でプッシュボタン４は原位置に復帰する。
【００６７】
上述の実施の形態では、キーステム３の脚部１４の先端側を、上ケース２Ａの位置決めボス１６に固定しているが、ダイヤル式スイッチ１の可動部に対して相対的に固定された筐体側であれば、ケース２の一部に限らず、ケース２に対して固定されるプリント配線基板など他の部材へ固定するものであってもよい。
【００６８】
同様に、ダイヤルキー５の回転を検出するレバー式検出スイッチ７や、ダイヤルキー５の押し下げを検出する方向決定スイッチ９は、上ケース２Ａに固定されたプリント配線基板６に固定された一例で説明したが、ダイヤル式スイッチ１の可動部に対して相対的に固定された筐体側であれば、プリント配線基板に限らず、ケース２など他の部材に対して固定されるものであってもよい。
【００６９】
また、キーステム３の全体を弾性材料で形成しているが、少なくとも中心から放射状に形成する脚部の一部が弾性材料で形成されていればよい。更に、脚部の本数は、形状は任意であり、キーステム３の回転中心軸Ｃ−Ｃ軸回りの隣り合う脚部間の角度は、全て等角度とする必要はない。上述の実施の形態では、位置決めボス１６を中心に可動する脚部１４の脚片１４ｂが、プリント配線基板６に実装される他の電子部品と干渉しないように、各脚部１４毎に脚片１４ｂの向きと位置決め孔１５の位置を異ならせている。
【００７０】
また、ダイヤルキーの回転を検出する回転検出手段は、上述のレバー式検出スイッチの構造に限らない。
【産業上の利用可能性】
【００７１】
本発明は、ダイヤルキーの回転操作と、ダイヤルキーの周囲の押し下げによる方向入力操作を検出するダイヤル式スイッチに適している。
【符号の説明】
【００７２】
１      ダイヤル式スイッチ
２      ケース（筐体側）
４      プッシュボタン
４ａ    円板操作部
４ｃ    係合突起
５      ダイヤルキー
５ａ    中心孔
６      プリント配線基板（筐体側）
７      レバー式検出スイッチ（回転検出手段）
９      方向スイッチ（第１押圧検出手段）
１２    円形支持板（支持板部）
１２ｂ  係合孔
１２ｃ  内側ガイド片（ガイド部）
１３    腕部
１３ａ  受圧部（ガイド部）
１４    脚部（弾性脚部）
１４ａ  分岐片
【図１】
0005626197.tif 000002
【図２】
0005626197.tif 000003
【図３】
0005626197.tif 000004
【図４】
0005626197.tif 000005
【図５】
0005626197.tif 000006
【図６】
0005626197.tif 000007
【図７】
0005626197.tif 000008
【図８】
0005626197.tif 000009
【図９】
0005626197.tif 000010